(57)【特許請求の範囲】
【請求項１】
環状に配置された複数の櫛歯からなる櫛部を備えた頭髪処理剤塗布具であって、
前記櫛部は、櫛歯どうし間の間隔を拡縮可能であり、
頭髪処理剤塗布具を頭部に押し付けた後、その押し付けを解除することで、前記櫛歯どうし間に頭髪を捕捉する機構を備えており、
前記櫛部を進退させることにより、前記櫛歯間の間隔が広い状態と前記櫛歯間の間隔が狭い状態とを切り替え可能であると共に、前記櫛部を、前記の両状態にそれぞれ保持可能である、頭髪処理剤塗布具。
【請求項２】
前記櫛部を進退可能に支持し、該櫛部を前進状態及び後退状態にそれぞれに保持可能な進退機構と、該櫛部を後退させる際に、該櫛部の外周方向から押圧されて弾性変形し、その弾性変形により前記櫛歯間の間隔を減少させる櫛歯を備えている、請求項１記載の頭髪処理剤塗布具。
【請求項３】
前記櫛部は、その先端側に向かうにつれて外周方向に広がる傾斜部分を有しており、該櫛部を後退させる際に、該傾斜部分が櫛部の外周方向から押圧され該櫛部が縮径することにより、前記櫛歯間の間隔が減少する請求項２記載の頭髪処理剤塗布具。
【請求項４】
環状に配置された複数の櫛歯からなる櫛部を備えた頭髪処理剤塗布具であって、
前記櫛部は、櫛歯どうし間の間隔を拡縮可能であり、
頭髪処理剤塗布具を頭部に押し付けた後、その押し付けを解除することで、前記櫛歯どうし間に頭髪を捕捉する機構を備えており、
前記櫛部は、第１の櫛歯、及び第１の櫛歯より高さが高い第２の櫛歯を有しており、第２の櫛歯は、頭髪処理剤塗布具を頭部に押し付けたときに、その先端側が前記櫛部の外周方向に移動するように変形して、第１の櫛歯との間の間隔が拡大するように設けられており、
第２の櫛歯は、その先端側に、該櫛歯の高さ方向と交差する方向に突出する側部突起を備えている、頭髪処理剤塗布具。
【請求項５】
頭髪処理剤の収容部及び複数の櫛歯で囲まれた空間内に該頭髪処理剤を吐出する剤吐出口を備えている、請求項１〜４の何れか１項記載の頭髪処理剤塗布具。
【発明の詳細な説明】
【技術分野】
【０００１】
本発明は、頭髪処理剤塗布具に関する。
【背景技術】
【０００２】
多数の櫛歯からなる櫛部を有する塗布具を用いて頭髪に染毛剤等の頭髪処理剤を塗布する技術が知られている。
例えば、本出願人は、櫛歯が直列した複数の櫛歯列によって両側を挟まれた中央部分から塗布液を吐出させ、該塗布液を、櫛歯列で頭髪を梳きながら頭髪に塗布できるようにした櫛歯付き塗布用具を提案している（特許文献１参照）。この櫛歯付き塗布用具によれば、櫛歯列間に塗布液を吐出させた後、櫛歯列間に塗布液を一旦保持した状態で、塗布用具を頭髪に当てることができる。
【０００３】
しかし、特許文献１の図２に示されるように、櫛歯の直径が櫛歯の高さ方向の略全域で等しい場合、例えば、頭頂部付近から首や肩上に亘る長い範囲の髪に連続して塗布液を塗布しようとしても、首上に位置する髪からその毛先に向って塗布する際に、髪が頭皮によって裏側から支持されていないこと、および毛先に向かうに従い髪量が減少することに起因にして、該髪が櫛歯間から抜ける場合があることが予想される。
【０００４】
特許文献２には、櫛歯の先端側の側面に、容器内の流体を排出する滴下孔の開口部を設けるともに、該開口部より先端側に該開口部に近接して瘤部を形成した塗布具が記載され、特許文献３には、複数の櫛歯が直線状に配列された櫛部における櫛歯の上端に、下面が櫛歯片の中心軸心に対して直角近傍の角度をなすように形成された突片を設けることが記載されている。
しかし、特許文献２及び３の技術は、櫛歯から剤を排出する技術であり、長い頭髪の頭頂部側から毛先側の長い範囲に剤を安定して塗布することは困難である。
【０００５】
特許文献４には、剤吐出口の近傍に、先端側が鈎状に屈曲した一対の突起を設けたものが記載されており、特許文献５には、剤吐出口の周囲に、複数の突起を円錐台状に配列させて設けたものが記載されている。
しかし、特許文献４の技術は、一対の前記突起を意図的に変形可能とする技術ではないため、一対の突起間に、先端側に設けた隙間を介して頭髪が挿入されても、その隙間から頭髪が抜け易い。特許文献５の技術も、突起間に頭髪を安定に保持することはできない。
【先行技術文献】
【特許文献】
【０００６】
【特許文献１】特開２００９−１６０２４０号公報
【特許文献２】実開平１−１５８７２９号公報
【特許文献３】特開２００１−２７５７５２号公報
【特許文献４】ＵＳ２００８０８７２９２Ａ
【特許文献５】ＵＳ２００７２５１５３７Ａ
【発明の概要】
【発明が解決しようとする課題】
【０００７】
本発明は、頭髪の保持性に優れ、櫛歯間に頭髪を保持しながら該頭髪に対して頭髪処理剤を安定して塗布することができる頭髪処理剤塗布具に関する。
【課題を解決するための手段】
【０００８】
本発明は、環状に配置された複数の櫛歯からなる櫛部を備えた頭髪処理剤塗布具であって、前記櫛部は、櫛歯どうし間の間隔を拡縮可能であり、頭髪処理剤塗布具を頭部に押し付けた後、その押し付けを解除することで、前記櫛歯どうし間に頭髪を捕捉する機構を備えている頭髪処理剤塗布具を提供するものである。
【発明の効果】
【０００９】
本発明の頭髪処理剤塗布具は、頭髪の保持性に優れ、櫛歯間に頭髪を保持しながら該頭髪に対して頭髪処理剤を安定して塗布することができる。
【図面の簡単な説明】
【００１０】
【図１】図１は、本発明の頭髪処理剤塗布具の第１実施形態を示す一部破断側面図である。
【図２】図２は、図１の頭髪処理剤塗布具の剤塗布部及びその近傍の拡大斜視図である。
【図３】図３は、図１の頭髪処理剤塗布具の剤塗布部及びその近傍の、櫛部の進退方向に沿う断面図である。
【図４】図４は、図１の頭髪処理剤塗布具の剤塗布部及びその近傍の部分断面斜視図であり、（ａ）は、前進状態の櫛部を頭部に軽く当接させた状態を示す図、（ｂ）は、櫛部に保持した頭髪に頭髪処理剤を塗布する様子を示す図である。
【図５】図５は、図１の頭髪処理剤塗布具における櫛歯に囲まれた空間内に液状又は泡状の頭髪処理剤を貯留させた状態を示す斜視図である。
【図６】図６は、図１の頭髪処理剤塗布具に用いたラッチ機構の説明図である。
【図７】図７は、本発明の頭髪処理剤塗布具の第２実施形態を示す一部破断側面図である。
【図８】図８は、図７の頭髪処理剤塗布具の剤塗布部及びその近傍の拡大斜視図である。
【図９】図９は、図７の頭髪処理剤塗布具における櫛部を形成する部材（櫛部形成部材）を示す断面図である。
【図１０】図１０は、図７の頭髪処理剤塗布具の剤塗布部の部分断面斜視図であり、（ａ）は、櫛部を頭部に押し当て第２の櫛歯を外周方向に拡げた状態を示す図、（ｂ）は、頭部に押し当てる力をやや弱めた状態を示す図であり、（ｃ）は、頭部に押し当てる力を更に弱めて、第１の櫛歯と第２の櫛歯との間に、頭髪を捕捉した状態を示す図である。
【図１１】本発明の更に他の実施形態を示す図であり、（ａ）は櫛部形成部材の斜視図、（ｂ）は、櫛部形成部材の断面図である。
【発明を実施するための形態】
【００１１】
以下に、本発明をその好ましい実施形態に基づき図面を参照しながら説明する。
本発明の第１実施形態である頭髪処理剤塗布具１（以下、頭髪処理剤塗布具１ともいう）は、図２及び図３に示すように、環状に配置された複数の櫛歯２２からなる櫛部２３を備えている。櫛部２３は、図４に示すように、櫛歯２２どうし間の間隔Ｐを拡縮可能であり、頭髪処理剤塗布具１を頭部の頭皮Ｓ等に押し付けた後、その押し付けを解除することで、櫛歯２２どうし間に頭髪Ｈを捕捉する機構を備えている。
【００１２】
第１実施形態の頭髪処理剤塗布具１について、より詳細に説明する。
頭髪処理剤塗布具１は、図１に示すように、複数の櫛歯２２からなる櫛部２３を有する剤塗布部２と、頭髪処理剤の塗布作業を行う際に手に持つ部分である把持部４とを有している。また、頭髪処理剤塗布具１は、把持部４と剤塗布部２との間に延長部５を有している。延長部５は、把持部４と剤塗布部２との間に間隔を設けて、後頭部等への頭髪処理剤６の塗布作業を容易とするものである。
【００１３】
剤塗布部２は、頭髪に接触させる部分であり、頭髪を櫛部２３で梳きながら該頭髪に頭髪処理剤６を塗布可能である。
本実施形態における剤塗布部２は、図３及び図４に示すように、平面視円形状の櫛歯台２０を備えており、複数本の櫛歯２２が、該櫛歯台２０の中央部の周囲を囲むように立設されている。これらの櫛歯２２によって、櫛歯台２０上に、円筒状の櫛部２３が形成されている。
櫛部２３を構成する櫛歯２２は、相隣接する櫛歯どうし間に所定の間隔Ｐを設けて、平面視略円形の環状に配置されている。櫛歯２２及び櫛歯台２０は、合成樹脂により一体成形されている。櫛歯２２は、嵌合、融着、接着又はこれらの組み合わせ等によって櫛歯台２０に固定されていても良い。
【００１４】
櫛歯２２は、円筒状の櫛部２３の外周方向から押圧されて弾性変形し、その弾性変形により円筒状の櫛部２３の直径が減少すると共に櫛歯２２，２２間の間隔Ｐが減少するように設けられている。また、櫛歯２２は、櫛部２３の外周方向からの押圧力の消失又は低下により元の状態に戻り、それに伴い櫛歯２２，２２間の間隔Ｐが増大する。
櫛歯２２を弾性変形可能とする観点から、櫛歯２２は、熱可塑性汎用樹脂であるポリエチレン、ポリプロピレン、ポリスチレン、アクリルニトリル／スチレン樹脂、アクリルニトリル/ブタジエン／スチレン樹脂、ポリエチレンテレフタレート樹脂、メタクリル樹脂、塩化ビニル等、および熱可塑性エンジニアリングプラスチックであるポリカーボネイト、ポリアミド、ポリアセタール、ポリブチレンテレフタレート、フッ素樹脂等、又は熱硬化性樹脂のエポキシ樹脂、ポリウレタン、不飽和ポリエステル樹脂等から形成されていることが望ましく、特に機械的強度、耐薬品性、価格の面を考慮してポリエチレン、ポリプロピレン等のポリオレフィン樹脂から形成されていることが好ましい。
【００１５】
本実施形態の頭髪処理剤塗布具１は、図１に示すように、頭髪処理剤６を収容する容器部４０を備えており、前記把持部４は該容器部４０の一部からなる。容器部４０は、内部に収容した頭髪処理剤６を剤塗布部２に供給可能であり、延長部５を形成する延長部材５０には、頭髪処理剤６を容器部４０内から剤塗布部２に供給するための剤導出路５１が形成されている。櫛歯台２０における、櫛歯２２に囲まれた中央部分には、頭髪処理剤６が吐出される剤吐出口２１が開口している。換言すれば、櫛部２３を構成する櫛歯２２は、剤吐出口２１の周囲を囲むように環状に配置されている。
【００１６】
なお、本実施形態の頭髪処理剤塗布具１は、頭髪処理剤６を収容する容器部４０を有すると共に剤塗布部２に頭髪処理剤６を吐出させる剤吐出口２１を有するものであるが、本発明の頭髪処理剤塗布具は、容器部４０や剤吐出口２１を有しないものでも良い。剤塗布部２に剤吐出口２１を有しない場合であっても、櫛歯２２で囲まれた空間２５内（以下、筒状の櫛部２３内ともいう）に、頭髪処理剤を別の容器等から直接注入等することにより、本実施形態と同様にして頭髪処理剤の塗布を行うことができる。
【００１７】
本実施形態の頭髪処理剤塗布具１は、図３及び図４に示すように、櫛部２３を進退可能に支持する進退機構３を備えている。
そして、頭髪処理剤塗布具１は、櫛部２３を進退させることにより、図３及び図４（ａ）に示す、櫛歯２２，２２間の間隔Ｐが広い状態（以下、開状態ともいう）と、図４（ｂ）に示す、櫛歯２２，２２間の間隔Ｐが狭い状態（以下、閉状態ともいう）とを切り替え可能である。
【００１８】
より具体的には、本実施形態の頭髪処理剤塗布具１における進退機構３は、ラッチ機構を備えており、櫛部２３を、図３及び図４（ａ）に示す前進状態と図４（ｂ）に示す後退した状態とに、それぞれ保持可能である。そして、櫛部２３は、その前進状態においては前記開状態が維持され、その後退状態においては、前記閉状態が維持される。即ち、櫛部２３を前進させて前記開状態とした後、外力を加えない状態で放置しても、その状態がそのまま安定に維持され、また、櫛部２３を後退させて前記閉状態とした後に、外力を加えない状態で放置しても、その状態がそのまま安定に維持される。
【００１９】
本実施形態における進退機構３は、図３及び図４に示すように、一端が櫛歯台２０に結合した進退軸３１と、該進退軸３１を進退可能に支持するケース体３５とを有している。以下、櫛部２３や進退軸３１が進退する方向（図３中Ｘ方向）のうち、櫛部２３を後退させる際の進退軸３１等の移動方向（図３中Ｂ方向）を後方、櫛部２３を前進させる際の進退軸３１等の移動方向（図３中Ｆ方向）を前方ともいう。
【００２０】
ケース体３５は、円筒状（即ち断面略円形の筒状）をなし、その側面において、延長部材５０の先端部と結合している。ケース体３５は、図３に示すように、櫛部２３の進退方向（Ｘ方向）における中央部又はその付近に、貫通孔３６ａを有する軸支持壁３６を備えており、進退軸３１は、貫通孔３６ａを貫通した状態で、摺動可能に支持されている。進退軸３１は、後方Ｂ側の端部近傍に、トレース突起３２ａ，３２ｂを有する回転子３２が回転自在に取り付けられている。トレース突起３２ａ,３２ｂは、回転子３２の周面に、互いに逆向きに突出するように設けられている。
櫛歯台２０と軸支持壁３６との間には、進退軸３１の周囲を囲むように、コイルバネ３３が配されており、コイルバネ３３により、進退軸３１や、それに結合した櫛歯台２０やトレース突起３２ａ等は、櫛部２３の前進方向（Ｆ方向）に向かって常時付勢されている。
【００２１】
ケース体３５における軸支持壁３６より後方の内面には、ラッチ溝３０が周方向に沿って形成されている。回転子３２は、その周囲に互いに逆向きに突出するように設けられた２つのトレース突起３２ａ,３２ｂのそれぞれをラッチ溝３０に挿入した状態で進退軸３１の周囲を回転する。
【００２２】
ラッチ溝３０は、図６に示すように、前方Ｆ側の壁面が前方カム３７、後方Ｂ側の壁面が後方カム３８となっている。
前方カム３７は、第１前方谷部３７ａと、それより後方（図３，６中、Ｂ方向）に位置する第２前方谷部３７ｂと、ラッチ溝３０の周方向（Ｙ方向）において、それらの間に位置する前方山部３７ｃ，３７ｄとを有している。
後方カム３８は、第１後方谷部３８ａと、第２後方谷部３８ｂと、ラッチ溝３０の周方向（Ｙ方向）において、それらの間に位置する後方山部３８ｃ，３８ｄとを有している。
図６は、ラッチ溝３０のケース体周方向の展開図であり、左右のＡ線は、非展開状態では同位置である。図６に示すように、本実施形態におけるラッチ溝３０には、同一形態の溝部分が周方向に２回繰り返し形成されている。
【００２３】
櫛部２３が、図３及び図４（ａ）に示すように前進した状態においては、進退軸３１に設けられたトレース突起３２ａ，３２ｂは、図６中のＰ１，Ｐ２の位置にあり、それぞれ、コイルバネ３３の付勢力（弾性復元力）により、前方カム３７の第１前方谷部３７ａに押し付けられている。これにより、櫛部２３の前進状態が安定に維持され、同時に櫛歯２２間の間隔Ｐが広い状態も安定に維持される。
【００２４】
次いで、その状態の櫛部２３を頭部の頭皮Ｓ等に押し付け、該櫛部２３に、コイルバネ３３の付勢力に抗して進退軸３１を後退させる力を与えると、トレース突起３２ａ,３２ｂは、矢印Ａ１，Ａ２に示す経路で、後方カム３８に沿って第１後方谷部３８ａに移動する。そして、その状態で、櫛部２３の押圧を解除すると、トレース突起３２ａ,３２ｂは、コイルバネ３３の付勢力（弾性復元力）により、矢印Ａ３，Ａ４に示す経路で、前方カム３７に沿って第２前方谷部３７ｂに移動する。その状態においては、トレース突起３２ａ，３２ｂは、それぞれ、コイルバネ３３の付勢力（弾性復元力）により、第２前方谷部３７ｂに押し付けられている。そのため、櫛部２３の後退状態が安定に維持され、同時に櫛歯２２間の間隔Ｐが狭い状態も安定に維持される。
【００２５】
櫛部２３を、図４（ｂ）に示す後退状態から図３や図４（ａ）に示す前進状態に戻すためには、櫛部２３を頭部の頭皮Ｓ等に再び押し付けたり、櫛部２３を指等で押したりした後、その押圧を再び解除すれば良い。これにより、トレース突起３２ａ,３２ｂは、矢印Ａ５，Ａ６及びＡ７に示す経路で、第１前方谷部３７ｂ，３７ａに移動し、コイルバネ３３の付勢力（弾性復元力）により、第１前方谷部３７ｂ，３７ａに押し付けられた状態となり、その状態においては、櫛部２３の前進状態が安定に維持され、同時に櫛歯２２間の間隔Ｐが広い状態も安定に維持される。なお、図６の各矢印Ａ１〜Ａ７の先端部及び末端部は、各位置でのトレース突起３２ａ,３２ｂの中心を模式的に表している。
【００２６】
本実施形態における櫛部２３は、図３に示すように、該櫛部２３を構成する個々の櫛歯２２が湾曲しており、それにより、櫛部２３に、先端２３ｂに向かうにつれて外周方向（櫛部２３の中心軸Ｃから離れる方向）に広がる外向き傾斜部分２３ｃと、先端２３ｂに向かうにつれて内周方向（櫛部２３の中心軸Ｃに近づく方向）に縮まる内向き傾斜部分２３ｄとが形成されている。
そして、櫛部２３を後退させる際、即ち、櫛部２３を、図３や図４（ａ）に示す前進状態から図４（ｂ）に示す後退状態へと切り替える際に、櫛部２３の外周部、より具体的には、外向き傾斜部分２３ｃにおける外周部が、ケース体３５の開口周縁部３９に当接して押圧され、それにより、複数の櫛歯２２が、櫛部２３が縮径するように弾性変形し、その弾性変形により櫛歯間の間隔Ｐが減少する。
【００２７】
本実施形態の頭髪処理剤塗布具１においては、図３に示すように、ケース体３５の一端に存する開口周縁部３９の内面寄り部分が、櫛部２３の外周部に当接して、該櫛部２３を縮径させる櫛部押圧部３９ａとなっている。櫛部押圧部３９ａの内径は、櫛部２３の外径との関係で決められている。即ち、図３及び図４（ａ）に示す櫛部２３の前進状態においては、櫛部２３の外周面が、櫛部押圧部３９ａに接触しないか又は櫛部押圧部３９ａに弱く押圧される程度とする一方、図４（ｂ）に示す櫛部２３の後退状態においては、櫛部２３の外周面が、櫛部押圧部３９ａに強く押圧されて櫛部２３の外径が縮小し、櫛歯間の間隔Ｐが減少するようにしてある。櫛部押圧部３９ａは、本実施形態におけるように環状であることが好ましく、環状の櫛部押圧部３９ａの内径ｄ１は、櫛部２３の基端部（櫛歯台２０の表面）における外径ｄ２より大きく、櫛部２３の最大径、特に外向き傾斜部分２３ｃの最大径ｄ３よりも小さいことが好ましい。
【００２８】
頭髪処理剤塗布具１における前記容器部４は、図１に示すように、スクイズ可能な有底筒状の外容器４２と、外容器４２内に配置され、口部が外容器４２の円筒状の口部内面に気密に接合された内袋４３とを有する容器本体４１と、容器本体４１の口部に取り付けられる逆止弁４４付きの接続キャップ４５とからなり、外容器４２を片手で把持してその片手でスクイズすることにより、外容器４２自体又は外容器４２と内袋４３との間の空気が、内部の内袋４３を押圧し、それにより内袋４３内の頭髪処理剤６が押し出され、液導出路５１を介して剤塗布部２に供給され、剤塗布部２内の流路２６を通って剤吐出口２１から吐出される。剤塗布部２内の流路２６は、ケース体３５内における、櫛歯台２０の裏面と軸支持壁３６との間の空間３４と、進退軸３１に形成された横孔３４ａ及び縦孔３４ｂとからなる。横孔３４ａは、進退軸３１の周側面の周方向における一又は複数箇所に形成されている。
【００２９】
図１に示す頭髪処理剤塗布具１においては、外容器４２の円筒状の口部に、外容器４２と内袋４３との間の空間と、外容器４２の外部とを連通する吸入孔４２ａが形成されている。そして、押圧されて変形した外容器４２が、弾性復元力により元の状態に戻るときに、容器１の外部の空気が、接続キャップ４５の下端と外容器４２との間に設けた隙間４２ｂ及び前記の吸入孔４２ａを通って、外容器４２と内袋４３との間に流入する。容器部４は、このような構成を有することで、外周面を押圧して変形させる操作を繰り返すことにより、内容物である頭髪処理剤を徐徐に剤吐出口から吐出させることができる。
【００３０】
容器部４に、このような２重構造の容器を用いることにより、内部の頭髪処理剤６の残量が減っても、容器部４がしぼんで把持しにくくなることを防止できる。また、接続キャップ４５や、容器部４内の空間と剤吐出口２１とを連通する液導出路５１等に逆止弁４４を設けて、剤の吐出後に空気が液導出路５１や容器部４に逆流することを防止することにより、次回の吐出の際に、剤が出にくくなったり剤が飛び散ったりすることを防止することができる。
なお、接続キャップ４５の端部からケース体３５の外周面までの距離Ｌ（図１参照）は、後頭部等への塗布作業の容易等の観点から、４０〜２００ｍｍであることが好ましく、より好ましくは７０〜１２０ｍｍである。
【００３１】
第１実施形態の頭髪処理剤塗布具１を用いた頭髪処理剤の塗布方法の好ましい一例について説明する。
先ず、容器部４の容器本体４１から接続キャップ４５を取り外して、容器部４内に頭髪処理剤６を充填した後、再び接続キャップ４５を取り付ける。また、櫛部２３を、指などで押して前進状態として、櫛部２３の櫛歯２２，２２どうし間の間隔Ｐが拡大した状態としておく。頭髪処理剤６は、外部で配合したものを充填しても良いし、容器部４内で攪拌混合して作成しても良い。
そして、把持部４を片手で把持して繰り返しスクイズすることにより、容器部４０内の頭髪処理剤６を剤塗布部２に送り、剤吐出口２１から頭髪処理剤６を吐出させる。そして、図５に示すように、筒状の櫛部２３の内側に所望の量の頭髪処理剤６を溜め、その状態を維持したまま、剤塗布部２を頭部に移動させる。そして、剤塗布部２における、櫛部２３の先端側を、頭髪Ｈ上から頭皮に軽く押し当てる。この押し当てにより、図４（ａ）に示すように、櫛歯２２，２２間の隙間に、頭髪Ｈがスムーズに入り込む。そして、櫛部２３を頭皮に押し付ける力を強めると、櫛部２３が後退し、それに伴い、櫛部２３の外周部が、櫛部押圧部３９ａに押圧されて該櫛部２３が縮径し、同時に櫛部２３の櫛歯２２，２２どうし間の間隔Ｐが減少する。これにより、櫛歯２２，２２どうし間の間隔Ｐが、頭皮に押し付ける前の間隔に対して大きく減少するか又は好ましくはゼロとなる。これにより、櫛歯２２，２２どうし間の隙間に頭髪Ｈが捕捉される。間隔Ｐがゼロとは、櫛歯２２どうしが部分的に接触した状態である。
【００３２】
第１実施形態の頭髪処理剤塗布具１によれば、このようにして、櫛歯２２，２２どうし間の隙間に頭髪Ｈを効率良く捕捉することができる。そして、その状態で、剤塗布部２を、櫛部２３で頭髪を梳くようにして、頭髪Ｈの毛先方向に向けて移動させれば、櫛歯２２間に保持した頭髪に対して頭髪処理剤６を安定して塗布することができる。
そのため、例えば、人の首や肩上に延びた頭髪等、裏側から頭皮によって支持されていない部分の頭髪に対して頭髪処理剤を塗布する場合や、髪の太さや髪の本数が減る毛先寄りの部位に頭髪処理剤を塗布する場合においても、その部分の頭髪に対して頭髪処理剤を安定的に塗布することができる。
また、頭頂部付近から首や肩上に亘る長い範囲の頭髪に対して頭髪処理剤を塗布することも容易である。また、櫛部２３に、筋状にヘアカラーを塗布して筋状に部分染色を施すことも容易であり、その仕上がりも綺麗である。
【００３３】
櫛歯間への頭髪の取り込み性及び櫛歯間に頭髪を保持する頭髪保持性の向上の観点から、櫛歯間の間隔Ｐは、間隔最大時時の間隔（本実施形態では櫛部の前進状態の間隔）が、０．２〜１０ｍｍであることが好ましく、より好ましくは０．２〜３ｍｍであり、間隔最小時の間隔（本実施形態では櫛部の後退状態の間隔）が０．２ｍｍ以下であることが好ましく、より好ましくはゼロである。
ここで、櫛歯間の間隔Ｐは、筒状の櫛部２３の周方向において隣り合う櫛歯間の、櫛歯先端側に存する最接近部の直線距離である。第１実施形態における櫛歯２２は、湾曲した棒状部の先端に球状部２２ａを有しており、櫛歯間の間隔Ｐは、球状部どうし間の最短距離である。
また、櫛歯間の間隔Ｐが最大の状態（櫛部２３の前進状態）において、櫛部２３の高さ（本実施形態ではケース体３５から突出する部分の長さ）は、５〜４０ｍｍであることが好ましく、より好ましくは１０〜２５ｍｍである。
【００３４】
櫛部２３及び頭髪処理剤６は、図５に示すように、櫛部２３を上方に向けて、頭髪処理剤６を吐出させたとき、あるいは櫛部２３を上方に向けて、櫛部２３の内側の空間内に頭髪処理剤６を注入したときに、筒状の櫛部２３の内側の空間内に、頭髪処理剤６を所定量貯留可能であることが好ましい。
頭髪処理剤６としては、ヘアカラー等の染毛剤、ブリーチ剤、整髪剤、育毛剤、ヘアケア剤等の各種公知の頭髪処理剤を用いることができ、そのそれぞれの組成も特に制限されない。しかし、頭部から離れた位置において、筒状の櫛部２３内に、頭髪処理剤６を吐出させたり、頭髪処理剤６を別の容器等から注入したりした後に、その剤を筒状の櫛部２３内からこぼれないようにしながら頭部まで運べるようにする観点からは、頭髪処理剤６は、ある程度の粘度を有する液状（クリーム状のものや固形分や気体分を含む液状のものを含む）のもの又は泡状のものであることが好ましい。剤吐出口２１から泡状に吐出する頭髪処理剤は、容器部４に充填する時点で泡状のもの、容器部４内で泡状に変化したもの、容器部４と剤吐出口２１との間等で泡状に変化したもの等の何れであってもよい。
【００３５】
次に、本発明の他の実施形態について説明する。
図７は、本発明の第２実施形態である頭髪処理剤塗布具１Ａを示す図であり、図８は、頭髪処理剤塗布具１Ａの剤塗布部及びその近傍を示す斜視図である。
第２実施形態の頭髪処理剤塗布具１Ａは、剤塗布部２Ａ以外は、第１実施形態と同様の構成を有している。従って、第２実施形態については、主として第１実施形態と異なる点について説明し、同様の点については、同一の符号を付して説明を省略する。第２実施形態について、特に説明しない点については、第１実施形態について上述した説明（より好ましい構成の説明等も含む）が適宜適用される。
【００３６】
第２実施形態における剤塗布部２Ａは、図７、図８に示すように、剤吐出口２１を有する櫛歯台２０と、環状に配置された複数の櫛歯２２０からなる櫛部２３Ａを有している。第２実施形態における櫛部２３Ａは、櫛部２３Ａを構成する櫛歯２２０として、図８及び図９に示すように、第１の櫛歯２２１、及び第１の櫛歯２２１より高さが高い第２の櫛歯２２２を有しており、第２の櫛歯２２２は、図１０に示すように、頭髪処理剤塗布具１Ａを頭部に押し付けたときに、その先端側が櫛部２３Ａの外周方向（櫛部２３Ａの中心軸Ｃから離れる方向）に移動するように変形して、第１の櫛歯２２１との間の間隔Ｐが拡大するように設けられている。
【００３７】
第１の櫛歯２２１及び第２の櫛歯２２２は、櫛歯台２０の中央部の周囲（本実施形態では剤吐出口２１の周囲）を囲むように立設されており、これらの櫛歯２２１，２２２によって、櫛歯台２０上に、円筒状の櫛部２３Ａが形成されている。第１の櫛歯２２１と第の櫛歯２２２は、筒状の櫛部２３Ａの周方向に交互に配置されている。
【００３８】
第１の櫛歯２２１の高さＴ１（図９参照）は、３〜３０ｍｍであることが好ましく、より好ましくは５〜２０ｍｍである。第２の櫛歯２２２の高さＴ２（図９参照）は、第１の櫛歯２２１の高さＴ１に比べて、１〜１０ｍｍ高いことが好ましく、２〜５ｍｍ高いことがより好ましい。
また、第２の櫛歯２２２は、弾性変形可能とする観点から、第１実施形態の櫛歯２２と同様の材料から形成されていることが好ましい。第１の櫛歯２２１の形成材料は、第２の櫛歯２２２の形成材料と同一でも異なっていても良い。また、第１の櫛歯２２１は、第２の櫛歯２２２よりも曲げ剛性が高いことが好ましい。
【００３９】
図９に示すように、第１の櫛歯２２１は、櫛部２３Ａの中心軸Ｃと略平行に形成されている。他方、第２の櫛歯２２２は、櫛歯台２０の表面から第１の櫛歯２２１の先端の高さ位置Ｐ４までの部分である本体部２２ａと、第１及び第２の櫛歯２２１，２２２の突出方向において、第１の櫛歯２２１の先端の高さ位置Ｐ４よりも更に延出した変形促進部２２ｂを有する。変形促進部２２ｂは、第２の櫛歯２２２の先端に向かうにつれて中心軸Ｃから離れるように傾斜している。
【００４０】
本実施形態における第２の櫛歯２２２の本体部２２ａは、櫛部２３Ａの中心軸Ｃと略平行に形成され、換言すれば、第１の櫛歯２２１と略平行に形成されている。他方、第２の櫛歯２２２の変形促進部２２ｂは、図９に示すように、本体部２２ａ側から櫛歯２２２の先端に向かうにつれて櫛部２３Ａの外周方向に向かうように湾曲しており、櫛部２３Ａを、櫛歯２２２の先端側から頭部の頭皮Ｓ等に押し付けるときに、第１の櫛歯２２１に先立ち頭皮Ｓに当接して、第２の櫛歯２２２を、第１の櫛歯２２１との間の間隔Ｐが拡大するように変形させる。なお、本実施形態における第１の櫛歯２２１は、高さ方向中央部付近から先端付近までが、先端に向かうにつれて直径及び／又は櫛部周方向の幅が漸増するテーパー部となっているが、全長に亘って直径及び前記幅が一定であっても良いし、先端に向かうにつれて直径及び／又は櫛部周方向の幅が減少する先細の形状であっても良い。又、第１の櫛歯２２１は本体部の上に球状等の突起を有する形状であっても良い。
【００４１】
本実施形態における第２の櫛歯２２２は、図８及び図９に示すように、その先端側に、櫛歯２２２の高さ方向と交差する方向に突出する側部突起２２ｃを備えている。側部突起２２ｃは、第１の櫛歯２２１の先端の高さ位置Ｐ４と略同じ位置に、互いに逆向きに突出するように一対設けられている。側部突起２２ｃそれぞれが突出する長さは、櫛部間の隙間への頭髪の取り込み性の向上等の観点から、隣の側部突起とぶつからない範囲でできるだけ大きく取ることが好ましい。本実施形態における、第１の櫛部２２１と第２の櫛部２２２との間の間隔Ｐは、側部突起２２ｃと第１の櫛部２２１とが最も接近する部分における両櫛部２２１，２２２間の間隔である。
【００４２】
第２実施形態の頭髪処理剤塗布具１Ａを用いた頭髪処理剤の塗布方法の好ましい一例について説明する。
先ず、容器部４の容器本体４１から接続キャップ４５を取り外して、容器部４内に頭髪処理剤６を充填した後、再び接続キャップ４５を取り付ける。
そして、把持部４を片手で把持して繰り返しスクイズすることにより、容器部４０内の頭髪処理剤６を剤塗布部２に送り、剤吐出口２１から頭髪処理剤６を吐出させる。そして、筒状の櫛部２３Ａの内側に所望の量の頭髪処理剤６を溜め、その状態を維持したまま、剤塗布部２を頭部に移動させる。そして、剤塗布部２Ａにおける、櫛部２３Ａの先端側を、図１０（ａ）に示すように、頭髪Ｈ上から頭皮Ｓに押し当てる。この押し当てにより、第２の櫛歯２２２が、櫛部２３Ａの外周方向に広がる。その一方、第１の櫛歯２２１は、殆ど変形せず、それによって、第２の櫛歯２２２と第１の櫛歯２２１との間の間隔Ｐが拡大し、第１の櫛歯２２１と第２の櫛歯２２２との間の隙間に、頭髪Ｈがスムーズに入り込む。頭髪処理剤６は、外部で配合したものを充填しても良いし、容器部４内で攪拌混合して作成しても良い。
【００４３】
次いで、櫛部２２を頭皮Ｓから離したり、櫛部２３を頭皮Ｓに押し付ける力を弱めると、図１０（ｂ）に示すように、第２の櫛歯２２２が弾性復元力により変形前の状態に近づくように移動し、それに伴い、第１の櫛歯２２１と第２の櫛歯２２２との間の間隔Ｐも減少する。そして、図１０（ｃ）に示すように、第１の櫛歯２２１と第２の櫛歯２２２との間の間隔Ｐが、頭皮に押し付ける前の間隔に対して大きく減少するか又はゼロとなる。第２実施形態においては、このようにして、第１の櫛歯２２１と第２の櫛歯２２２との間の隙間に頭髪Ｈが捕捉される。
【００４４】
第２実施形態の頭髪処理剤塗布具１Ａによれば、このようにして、第１の櫛歯２２１と第２の櫛歯２２２との間の隙間に頭髪Ｈを効率良く捕捉することができる。そして、その状態で、剤塗布部２Ａを、櫛部２３Ａで頭髪を梳くようにして、頭髪Ｈの毛先方向に向けて移動させれば、櫛歯２２間に保持した頭髪に対して頭髪処理剤６を安定して塗布することができる。そのため、第２実施形態の頭髪処理剤塗布具１Ａによっても、第１実施形態と同様な効率的な頭髪処理剤の塗布を行うことができる。
しかも、第２実施形態においては、図１０（ｂ）及び図１０（ｃ）に示すように、第２の櫛歯２２２が、櫛部２３Ａの外周方向に広がった状態から元の状態に戻る過程で、側部突起２２が、頭髪Ｈを、頭皮Ｓ上から引き離して、櫛歯どうし間に積極的に取り込む機能を果たす。そのため、頭髪Ｈが、一層スムーズに、第１の櫛歯２２１と第２の櫛歯２２２との間の隙間に捕捉される。
【００４５】
以上、本発明の好ましい実施形態について説明したが、本発明は、上述した実施形態に制限されず、本発明の趣旨を逸脱しない範囲で種々変更が可能である。
【００４６】
例えば、第１及び第２実施形態における櫛歯２２は、一つの円形ライン上に配列していたが、図１１に示す実施形態のように、一の櫛歯２２１と他の櫛歯２２２とで、それぞれが配列する円形ラインが異なっていても良い。図９に示す実施形態における第２の櫛歯２２２は、櫛歯台２０に隣接する位置Ｐ３（櫛歯２２２の基端）、及び第１の櫛歯２２１の先端と高さ位置Ｐ４の何れにおいても、櫛部２３の中心軸Ｃから櫛歯までの距離が、第１の櫛歯２２１と略等しい。これに対して、図１１に示す実施形態においては、第２の櫛歯２２２は、櫛歯台２０に隣接する位置Ｐ３においては、第１の櫛歯２２１より内側（櫛部２３の中心軸Ｃに近い側）に位置しており、第１の櫛歯２２１の先端の高さ位置Ｐ４においては、第１の櫛歯２２１よりやや内側（櫛部２３の中心軸Ｃに近い側）に位置している。即ち、第２の櫛歯２２２の本体部２２ａは、櫛部２３Ａの中心軸Ｃに対して傾斜している。第２の櫛歯２２２が、第１の櫛歯２２１よりも内側（櫛部２３の中心軸Ｃに近い側）に位置する部分を有することにより、頭髪の保持安定性が一層向上する。
【００４７】
また、第２の櫛歯２２２の先端側に、湾曲した変形促進部２２ｂに代えて、本体部２２ａに対して所定の角度をなす直線状の変形促進部を設けてもよい。また、第２実施形態の第２の櫛歯２２２に代えて、基端から先端までの全体が、湾曲した櫛歯や、基端から先端までの全体が、櫛部２３Ａの中心軸Ｃに対して傾斜した櫛歯等を設けても良い。
また、第１実施形態の頭髪処理剤塗布具のラッチ機構に代えて、ノック式のボールペン等に使用されている各種公知のラッチ機構を用いることもできる。
【００４８】
また、櫛歯は、円形ライン上に配列しているのに代えて、楕円形状のライン上に配列していても良いし、六角形等の多角形状のライン上に配列していても良い。
また、容器部は、２重構造を有しないものであっても良いし、また、押し潰したり、巻き上げたりして内容物を押し出し可能なチューブ容器であっても良い。また、接続キャップは逆止弁を有しないものであっても良い。また、容器部として、エアゾール容器を用いても良い。
また、前述したように、本発明の頭髪処理剤塗布具は、頭髪処理剤の収容部や剤吐出口を有しないものであっても良く、例えば、延長部５や把持部４が、中実な合成樹脂、木材、金属等から形成されているものであっても良い。また、櫛部は、他の機構によって、櫛歯間の間隔を拡縮したり、頭髪を櫛歯間の隙間に捕捉・保持したりするものであっても良い。
【００４９】
また、第２実施形態の頭髪処理剤塗布具は、第２の櫛歯２２２が大きく変形する可動櫛歯である一方、第１の櫛歯２２１は殆ど変形しない固定櫛歯であったが、第１の櫛歯２２１及び第２の櫛歯２２２の両者が変形するが、その変形の程度が明確に異なることによって、第２の櫛歯２２２と第１の櫛歯２２１との間の間隔Ｐを拡縮させるものであっても良い。
【符号の説明】
【００５０】
１，１Ａ  頭髪処理剤塗布具
２，２Ａ  剤塗布部
２０  櫛歯台
２１  剤吐出口
２２  櫛歯
２２１  第１の櫛歯
２２２  第２の櫛歯
２３，２３Ａ  櫛部
３  進退機構
３１  進退軸
３２ａ，３２ｂ  トレース突起
３２  回転子
３５  ケース体
３６  軸支持壁
４  把持部
４０  容器部
５  延長部
６  頭髪処理剤
【図１】
0005860262.tif 000002
【図２】
0005860262.tif 000003
【図３】
0005860262.tif 000004
【図４】
0005860262.tif 000005
【図５】
0005860262.tif 000006
【図６】
0005860262.tif 000007
【図７】
0005860262.tif 000008
【図８】
0005860262.tif 000009
【図１０】
0005860262.tif 000010
【図９】
0005860262.tif 000011
【図１１】
0005860262.tif 000012